(57)【要約】【課題】棚本体に対する着脱が容易であり、支持した物体の落下を抑止することのできるガイドレールおよびこれを備えた棚を提供する。【解決手段】ガイドレール２ａは、棚本体に対して着脱可能に取り付けられ、物体が所定の移動方向に移動可能な状態で物体を支持するガイドレールである。ガイドレール２ａは、物体を下方から支持する支持部２１と、支持部２１から上方に延在する本体部２２と、支持部２１と所定の間隔を隔てて本体部２２から支持部２１の上部に突出した突起部２３と、複数の挿入穴の各々に挿入される複数の爪部２４の各々であって、本体部２２に固定された複数の爪部２４の各々とを備える。複数の爪部２４の各々は、本体部２２から突出した第１の部分２４１であって、挿入穴に爪部２４が挿入された場合に棚本体と接触する下面２４１ａを含む第１の部分２４１と、第１の部分２４１から上方に突出した第２の部分２４２とを含む。【選択図】図５
2020031697.tif 000002
【特許請求の範囲】
【請求項１】
複数の挿入穴を含む棚本体に対して着脱可能に取り付けられ、物体が所定の移動方向に移動可能な状態で前記物体を支持するガイドレールであって、
前記物体を下方から支持する支持部と、
前記支持部から上方に延在する本体部と、
前記支持部と所定の間隔を隔てて前記本体部から前記支持部の上部に突出した突起部と、
前記複数の挿入穴の各々に挿入される複数の爪部の各々であって、前記本体部に固定された複数の爪部の各々とを備え、
前記複数の爪部の各々は、
前記本体部から突出した第１の部分であって、挿入穴に爪部が挿入された場合に前記棚本体と接触する下面を含む第１の部分と、
前記第１の部分から上方に突出した第２の部分とを含む、ガイドレール。
【請求項２】
前記複数の爪部の各々は、前記本体部の上端部に固定される、請求項１に記載のガイドレール。
【請求項３】
前記本体部の延在方向に対して前記第１の部分の突出方向がなす角度αは、７５度以上９０度以下である、請求項１または２に記載のガイドレール。
【請求項４】
前記第１の部分の突出方向に対して前記第２の部分の突出方向がなす角度βは、９０度以上１０５度以下である、請求項１〜３のいずれかに記載のガイドレール。
【請求項５】
前記支持部の先端部の前記本体部からの距離は、前記突起部の先端部の前記本体部からの距離よりも長い、請求項１〜４のいずれかに記載のガイドレール。
【請求項６】
前記支持部の上面に固定され、前記物体と摺動する摺動部をさらに備えた、請求項１〜５のいずれかに記載のガイドレール。
【請求項７】
前記複数の爪部の各々の前記第１の部分の突出方向は同一方向であり、かつ前記本体部における前記支持部が存在する側とは反対側の方向である、請求項１〜６のいずれかに記載のガイドレール。
【請求項８】
前記複数の爪部の各々の前記第１の部分の突出方向は互いに逆の方向であり、かつ平面視で前記移動方向に対して平行な方向である、請求項１〜６のいずれかに記載のガイドレール。
【請求項９】
請求項１〜８のいずれかに記載の２つのガイドレールと、
前記２つのガイドレールが取り付けられた前記棚本体とを備えた、棚。
【請求項１０】
前記棚本体は、
前記２つのガイドレールのうち１つのガイドレールが取り付けられた２つの縦柱であって、鉛直方向に延在し、前記１つのガイドレールが取り付けられる面に形成された延在溝を含む２つの縦柱の各々と、
２つの前記延在溝の各々に挿入された２つの挿入部材の各々とを含み、
前記２つの挿入部材の各々は、前記挿入穴となり得る複数の穴であって、鉛直方向に配列した複数の穴を含む、請求項９に記載の棚。
【請求項１１】
前記２つの縦柱の各々は、鉛直方向に延在し、前記ガイドレールが取り付けられる面とは反対側の面に形成された溝である反対側溝を含む、請求項１０に記載の棚。
【請求項１２】
前記２つのガイドレールによって支持された前記物体をさらに備え、
前記物体は、
前記支持部と対向する底部と、
前記底部から上方に延在する背部と、
前記背面よりも前記引出方向の下流側の位置の前記底部から上方に延在する前部と、
前記背部に形成され、前記物体が移動する際に前記突起部と前記背部との干渉を防止するための切欠き部とを含む、請求項９〜１１のいずれかに記載の棚。
【発明の詳細な説明】
【技術分野】
【０００１】
本発明は、ガイドレールおよびこれを備えた棚に関する。より特定的には、複数の挿入穴を含む棚本体に対して着脱可能に取り付けられ、物体が所定の移動方向に移動可能な状態で物体を支持するガイドレール、およびこれを備えた棚に関する。
【背景技術】
【０００２】
従来の棚として、棚本体における上下方向に設けられた複数の取付位置のうち任意の高さの取付位置に、棚やトレーなどが取り付けられたものが知られている。
【０００３】
この種の棚の棚受け具として、下記特許文献１には、支持体に装着した状態で支持面に棚板を載せ置き可能とした棚受け装置が開示されている。この棚受け装置は、前後に位置する２つの支柱の各々のスリット穴の間に配置される本体と、この本体の前後両端側に位置するとともに、スリット穴の下端形成縁に引っ掛け可能に設けられた一対のフックと、本体に連なって棚板の端部裏面を支える支持面と、この支持面の領域内に配置された凸部を形成するだぼとを備えている。
【０００４】
また下記特許文献２には、縦フレームに取り付けられる棚受け具が開示されている。この棚受け具は、水平な棚受け部と、棚受け部の一端から上向きに垂設された支持部と、支持部の左右両端部に設けられた係合部とを備えている。係合部は、棚受け部と反対側に向かっており、縦フレームの係止具と係合する、下向きのフックを上下に２つ備えている。
【先行技術文献】
【特許文献】
【０００５】
【特許文献１】特開２００１−１７８５６６号公報
【特許文献２】特開２００６−１９８２８３号公報
【発明の概要】
【発明が解決しようとする課題】
【０００６】
従来の棚の中には、トレーなどが引出可能に取り付けられたものも存在する。
【０００７】
図１３は、従来の棚の一例の構成を示す正面図である。
【０００８】
図１３を参照して、従来の棚１０００は、棚本体１００１と、トレー１００３とを含んでいる。棚本体１００１における互いに対向する内側面１００１ａの各々には、上下方向に配列した複数の溝１００２が形成されている。複数の溝１００２の各々は水平方向（図１３中紙面に対して垂直な方向）に延在している。内側面１００１ａの各々における所定の高さの溝１００２には、トレー１００３の端部が挿入されている。トレー１００３の端部は、トレー１００３が前後方向（図１３中紙面に垂直な方向）に移動可能であるように、溝１００２と係合している。溝１００２はトレー１００３のガイドレールとして機能する。
【０００９】
棚１０００においては、棚本体１００１の強度を確保する観点で、棚本体１００１に形成する溝１００２の個数に限度があった。このため、溝１００２の個数を増やすことができず、自由な高さの位置にトレー１００３を設けることができなかった。
【００１０】
図１４は、従来の棚の他の例の構成を示す正面図である。図１５は、従来の棚の他の例のガイドレール１０１２における棚本体１０１１と係合する構成を示す斜視図である。
【００１１】
図１４および図１５を参照して、従来の棚１０１０は、棚本体１０１１と、２つのガイドレール１０１２と、トレー１０１３と、２つのガイドレール１０１６とを備えている。棚本体１０１１は、前後方向（図１４中紙面に垂直な方向）および左右方向に配置された４つの縦柱１０１４を含んでいる（後側の２つの縦柱１０１４は図示されていない）。図１４中左側のガイドレール１０１２は、図１４中左側の前後の２つの棚本体１０１１に対して着脱可能に取り付けられており、図１４中右側のガイドレール１０１２は、図１４中右側の前後の２つの棚本体１０１１に対して着脱可能に取り付けられている。トレー１０１３は、前後方向に移動可能であるように、２つのガイドレール１０１２上に支持されている。
【００１２】
前側の２つの縦柱１０１４における互いに対向する内側の面１０１４ａの各々には、上下方向に配列した複数の穴１０１５が形成されている。同様に、後側の２つの縦柱１０１４における互いに対向する内側の面１０１４ａの各々には、上下方向に配列した複数の穴１０１５が形成されている。
【００１３】
ガイドレール１０１２は、互いに同じ高さ位置に設けられた爪部１０１２ａおよび１０１２ｂを含んでいる。爪部１０１２ａは下方向を向いた鉤形状を有しており、爪部１０１２ｂは後方向を向いた鉤形状を有している。
【００１４】
４つの縦柱１０１４の各々における所定の高さの穴１０１５の各々には、ガイドレール１０１２の爪部１０１２ａまたは１０１２ｂが係合される。具体的には、図１４中左側のガイドレール１０１２の爪部１０１２ａは、図１４中左前側の縦柱１０１４における所定の高さの穴１０１５に係合され、図１４中左側のガイドレール１０１２の爪部１０１２ｂは、図１４中左後側の縦柱１０１４における所定の高さの穴１０１５に係合される。図１４中右側のガイドレール１０１２の爪部１０１２ａは、図１４中右前側の縦柱１０１４における所定の高さの穴１０１５に係合され、図１４中右側のガイドレール１０１２の爪部１０１２ｂは、図１４中右後側の縦柱１０１４における所定の高さの穴１０１５に係合される。この係合により、ガイドレール１０１２は前後の２つの棚本体１０１１に対して着脱可能に取り付けられている。
【００１５】
棚１０１０においては、多数の穴１０１５のうち所望の高さ位置に２つのガイドレール１０１２を取り付けることにより、自由な高さの位置にガイドレール１０１２およびトレー１０１３を設けることができる。
【００１６】
一方、従来のガイドレール１０１２には、棚本体１０１１に対する着脱が容易ではないという問題があった。すなわち、ガイドレール１０１２を棚本体１０１１に装着する際には、作業者は次の作業を行う必要があった。前側の縦柱１０１４の穴１０１５に爪部１０１２ａを挿入し、かつ後側の縦柱１０１４の穴１０１５に爪部１０１２ｂを挿入する。ガイドレール１０１２を矢印ＡＲ１０１で示す方向（下方向）に移動させて爪部１０１２ａを前側の縦柱の穴１０１５に係合させる。ガイドレール１０１２を矢印ＡＲ１０２で示す方向（後方向）に移動させて爪部１０１２ｂを後側の縦柱の穴１０１５に係合させる。
【００１７】
また、ガイドレール１０１２を棚本体１０１１から取り外す際には、作業者は次の作業を行う必要があった。ガイドレール１０１２を矢印ＡＲ１０１で示す方向とは逆の方向（上方向）に移動させて爪部１０１２ａを前側の縦柱の穴１０１５から取り外す。ガイドレール１０１２を矢印ＡＲ１０２で示す方向とは逆の方向（前方向）に移動させて爪部１０１２ｂを後側の縦柱の穴１０１５から取り外す。前側の縦柱１０１４の穴１０１５から爪部１０１２ａを引き出し、かつ後側の縦柱１０１４の穴１０１５から爪部１０１２ｂを引き出す。特に、ガイドレール１０１２は、爪部１０１２ａおよび１０１２ｂの各々で棚本体１０１１を挟み込むことで棚本体１０１１に固定されている。このため、ガイドレール１０１２を取り外す際には、ガイドレール１０１２を叩くなどガイドレール１０１２に大きな力を加える必要があった。
【００１８】
加えて、従来のガイドレール１０１２には、支持したトレー１０１３（物体）の落下を抑止することができないという問題があった。すなわち、トレー１０１３が前方に引き出された場合にはトレー１０１３の重心が前方に移動するため、トレー１０１３がガイドレール１０１２上から落下するおそれがあった。トレー１０１３の落下を防止するためには、トレー１０１３の上部に別のガイドレール１０１６を取り付け、ガイドレール１０１６によってトレー１０１３を上部から押さえる必要があった。
【００１９】
本発明は、上記課題を解決するためのものであり、その目的は、棚本体に対する着脱が容易であり、支持した物体の落下を抑止することのできるガイドレールおよびこれを備えた棚を提供することである。
【課題を解決するための手段】
【００２０】
本発明の一の局面に従うガイドレールは、複数の挿入穴を含む棚本体に対して着脱可能に取り付けられ、物体が所定の移動方向に移動可能な状態で物体を支持するガイドレールであって、物体を下方から支持する支持部と、支持部から上方に延在する本体部と、支持部と所定の間隔を隔てて本体部から支持部の上部に突出した突起部と、複数の挿入穴の各々に挿入される複数の爪部の各々であって、本体部に固定された複数の爪部の各々とを備え、複数の爪部の各々は、本体部から突出した第１の部分であって、挿入穴に爪部が挿入された場合に棚本体と接触する下面を含む第１の部分と、第１の部分から上方に突出した第２の部分とを含む。
【００２１】
上記ガイドレールにおいて好ましくは、複数の爪部の各々は、本体部の上端部に固定される。
【００２２】
上記ガイドレールにおいて好ましくは、本体部の延在方向に対して第１の部分の突出方向がなす角度αは、７５度以上９０度以下である。
【００２３】
上記ガイドレールにおいて好ましくは、第１の部分の突出方向に対して第２の部分の突出方向がなす角度βは、９０度以上１０５度以下である。
【００２４】
上記ガイドレールにおいて好ましくは、支持部の先端部の本体部からの距離は、突起部の先端部の本体部からの距離よりも長い。
【００２５】
上記ガイドレールにおいて好ましくは、支持部の上面に固定され、物体と摺動する摺動部をさらに備える。
【００２６】
上記ガイドレールにおいて好ましくは、複数の爪部の各々の第１の部分の突出方向は同一方向であり、かつ本体部における支持部が存在する側とは反対側の方向である。
【００２７】
上記ガイドレールにおいて好ましくは、複数の爪部の各々の第１の部分の突出方向は互いに逆の方向であり、かつ平面視で移動方向に対して平行な方向である。
【００２８】
本発明の他の局面に従う棚は、上記の２つのガイドレールと、２つのガイドレールが取り付けられた棚本体とを備える。
【００２９】
上記棚において好ましくは、棚本体は、２つのガイドレールのうち１つのガイドレールが取り付けられた２つの縦柱であって、鉛直方向に延在し、１つのガイドレールが取り付けられる面に形成された延在溝を含む２つの縦柱の各々と、２つの延在溝の各々に挿入された２つの挿入部材の各々とを含み、２つの挿入部材の各々は、挿入穴となり得る複数の穴であって、鉛直方向に配列した複数の穴を含む。
【００３０】
上記棚において好ましくは、２つの縦柱の各々は、鉛直方向に延在し、ガイドレールが取り付けられる面とは反対側の面に形成された溝である反対側溝を含む。
【００３１】
上記棚において好ましくは、２つのガイドレールによって支持された物体をさらに備え、物体は、支持部と対向する底部と、底部から上方に延在する背部と、背面よりも引出方向の下流側の位置の底部から上方に延在する前部と、背部に形成され、物体が移動する際に突起部と背部との干渉を防止するための切欠き部とを含む。
【発明の効果】
【００３２】
本発明によれば、棚本体に対する着脱が容易であり、支持した物体の落下を抑止することのできるガイドレールおよびこれを備えた棚を提供することができる。
【図面の簡単な説明】
【００３３】
【図１】本発明の一実施の形態における棚１の構成を示す斜視図である。
【図２】本発明の一実施の形態における棚本体４の構成を示す斜視図である。
【図３】図２中Ｙ部拡大図である。
【図４】本発明の一実施の形態における挿入部材４４の構成を示す斜視図である。
【図５】本発明の一実施の形態におけるガイドレール２ａの構成を示す斜視図である。
【図６】ガイドレール２を棚本体４に取り付ける際に作業者が行う動作を模式的に示す断面図である。
【図７】本発明の一実施の形態におけるトレー６の構成を示す斜視図である。
【図８】本発明の一実施の形態において、トレー６が引き出された状態をｙｚ平面に対して平行な断面で見た場合の断面図である。
【図９】本発明の一実施の形態の第１の変形例におけるガイドレール２の構成および棚本体４の一部の構成を示す斜視図である。
【図１０】本発明の一実施の形態の第２の変形例におけるガイドレール２の爪部２４付近の構成を示す断面図である。
【図１１】本発明の一実施の形態の第３の変形例におけるガイドレール２および棚本体４の一部の構成を示す図である。
【図１２】本発明の一実施の形態の第４の変形例におけるトレー６の構成を示す斜視図である。
【図１３】従来の棚の一例の構成を示す正面図である。
【図１４】従来の棚の他の例の構成を示す正面図である。
【図１５】従来の棚の他の例のガイドレール１０１２における棚本体１０１１と係合する構成を示す斜視図である。
【発明を実施するための形態】
【００３４】
以下、本発明の一実施の形態について、図面に基づいて説明する。
【００３５】
なお、図面においては、棚の幅方向をｘ軸とし、棚の前後方向をｙ軸とし、棚の高さ方向をｚ軸としている。ｘ軸、ｙ軸、およびｚ軸は互いに直交している。ｘ軸およびｙ軸は水平面内に存在しており、ｚ軸は鉛直方向である。
【００３６】
図１は、本発明の一実施の形態における棚１の構成を示す斜視図である。
【００３７】
図１を参照して、本実施の形態における棚１（棚の一例）は、２つのガイドレール２（ガイドレールの一例）と、棚本体４（棚本体の一例）と、トレー６（物体の一例）とを備えている。ガイドレール２、棚本体４、およびトレー６の各々は、任意の材料よりなっていればよく、たとえばアルミニウムやステンレスなどの金属や、プラスティックなどよりなっている。
【００３８】
２つのガイドレール２は、棚本体４に対して着脱可能に取り付けられている。２つのガイドレール２のうち図１中左側のガイドレール２ａは、棚本体４の縦柱４１ａおよび４１ｂに取り付けられている。２つのガイドレール２のうち図１中右側のガイドレール２ｂは、棚本体４の縦柱４１ｃおよび４１ｄに取り付けられている。２つのガイドレール２は、人の手によってトレー６がｙ軸に平行な移動方向に移動可能な状態で、トレー６を下方から支持している。
【００３９】
トレー６の幅方向の両端部は、２つのガイドレール２によって支持されている。トレー６は、棚本体４に収納された状態からｙ軸の正の方向に移動させることで、その一部を棚本体４の外部に引き出すことが可能である。またトレー６は、その一部が引き出された状態からｙ軸の負の方向に移動させることで、その全体を棚本体４に収納することが可能である。
【００４０】
なお、棚１に含まれるガイドレール２およびトレー６の数は任意である。
【００４１】
図２は、本発明の一実施の形態における棚本体４の構成を示す斜視図である。
【００４２】
図２を参照して、棚本体４は、直方体の形状を有しており、前後方向（ｙ軸方向）および左右方向（ｘ軸方向）に配置された４つの縦柱４１（縦柱の一例）と、８つの横柱４２とを含んでいる。
【００４３】
４つの縦柱４１の各々は、上部から見た場合に矩形の頂点となる位置に設けられており、鉛直方向に延在している。図２中左後側の縦柱４１は縦柱４１ａであり、図２中左前側の縦柱４１は縦柱４１ｂである。図２中右前側の縦柱４１は縦柱４１ｃであり、図２中右後側の縦柱４１は縦柱４１ｄである。４つの縦柱４１ａ〜４１ｄの各々におけるｘ軸方向で互いに対向する面である内側面４１１は、ガイドレール２が取り付けられる面となる。この内側面４１１には、上下方向（ｚ軸方向）に配列した複数の穴４４１（複数の穴の一例）が設けられている。
【００４４】
８つの横柱４２の各々は水平方向に延在している。図２中上部左側の横柱４２は横柱４２ａであり、縦柱４１ａの上部と縦柱４１ｂの上部とを接続している。図２中上部前側の横柱４２は横柱４２ｂであり、縦柱４１ｂの上部と縦柱４１ｃの上部とを接続している。図２中上部右側の横柱４２は横柱４２ｃであり、縦柱４１ｃの上部と縦柱４１ｄの上部とを接続している。図２中上部後側の横柱４２は横柱４２ｄであり、縦柱４１ｄの上部と縦柱４１ａの上部とを接続している。
【００４５】
図２中下部左側の横柱４２は横柱４２ｅであり、縦柱４１ａの下部と縦柱４１ｂの下部とを接続している。図２中下部前側の横柱４２は横柱４２ｆであり、縦柱４１ｂの下部と縦柱４１ｃの下部とを接続している。図２中下部右側の横柱４２は横柱４２ｇであり、縦柱４１ｃの下部と縦柱４１ｄの下部とを接続している。図２中下部後側の横柱４２は横柱４２ｈであり、縦柱４１ｄの下部と縦柱４１ａの下部とを接続している。
【００４６】
図３は、図２中Ｙ部拡大図である。
【００４７】
図２および図３を参照して、棚本体４は４つの挿入部材４４（挿入部材の一例）をさらに含んでいる。４つの縦柱４１の各々は、２つの延在溝４１３ａ（延在溝の一例）および４１３ｂ（反対側溝の一例）を含んでいる。２つの延在溝４１３ａおよび４１３ｂの各々は、鉛直方向に延在しており、縦柱４１の内側面４１１と、縦柱４１の内側面４１１とは反対側の平面である外側面４１２との各々に設けられている。４つの縦柱４１の各々の延在溝４１３ａには、４つの挿入部材４４の各々が挿入されている。
【００４８】
なお、４つの縦柱４１の各々における前後方向の各々の平面にも延在溝４１３ｃおよび４１３ｄの各々が形成されていてもよい。
【００４９】
縦柱４１の外側面４１２にも延在溝４１３ｂを設けることにより、外側面４１２側に棚本体４を拡張し、外側面４１２側にガイドレール２およびトレー６をさらに設けることができる。その結果、棚１を幅方向（ｘ軸方向）に複数個設ける場合に、幅方向の省スペース化を図ることができる。
【００５０】
図４は、本発明の一実施の形態における挿入部材４４の構成を示す斜視図である。
【００５１】
図２〜図４を参照して、４つの挿入部材４４の各々は、鉛直方向に延在している。４つの挿入部材４４の各々は、複数の穴４４１を含んでいる。複数の穴４４１の各々は、後述する爪部２４が挿入される挿入穴４４２（挿入穴の一例）となり得る穴であり、鉛直方向に配列している。複数の穴４４１の各々の間隔は同一である。４つの挿入部材４４の各々が縦柱４１の各々の延在溝４１３ａに挿入されることにより、縦柱４１の各々の内側面４１１には延在溝４１３ａを通じて複数の穴４４１が露出するようになる。
【００５２】
このように、複数の穴４４１が設けられた挿入部材４４を縦柱４１と別部材にすることで、縦柱４１に対して必要な間隔で複数の穴４４１を設けることができる。また、複数の挿入部材４４を１つの延在溝４１３ａに対して挿入することにより、縦柱４１の複数の穴４４１の各々の間隔を部分的に異ならせることができる。
【００５３】
図５は、本発明の一実施の形態におけるガイドレール２ａの構成を示す斜視図である。
【００５４】
図２および図５を参照して、ガイドレール２ａは、支持部２１（支持部の一例）と、本体部２２（本体部の一例）と、突起部２３（突起部の一例）と、複数（ここでは２つ）の爪部２４（複数の爪部の一例）と、摺動シート２５（摺動部の一例）とを含んでいる。支持部２１、本体部２２、突起部２３、および複数の爪部２４の各々は、一枚の金属板を折曲げ加工することにより形成されている。
【００５５】
支持部２１は、トレー６を下方から支持する。支持部２１は、板状であり、ｙ軸方向に延在している。支持部２１の上面２１１は、ｘｙ平面内の平面で構成されており、ガイドレール２ａによって支持されるトレー６の底面と対向する。
【００５６】
本体部２２は、支持部２１のｘ軸の負の方向の端部から上方に延在している。本体部２２は、鉛直方向（ｚ軸方向）に延在していることが好ましい。本体部２２は、内側面２２１および外側面２２２を含んでいる。内側面２２１は、支持部２１側に設けられた平面であり、ガイドレール２ａによって支持されるトレー６の側面と対向する。外側面２２２は、支持部２１とは反対側に設けられた平面である。
【００５７】
突起部２３は、内側面２２１からｘ軸方向に突出している。突起部２３は、支持部２１と所定の間隔ｄ１を隔てて本体部２２の内側面２２１から支持部２１の上部に突出している。突起部２３は、本体部２２に形成された穴２２３にボルトを挿入し、このボルトにナットを螺合することで構成されてもよい。
【００５８】
なお、ガイドレール２上からのトレー６の着脱を容易にするためには、支持部２１の先端部の前記本体部からの距離ｄ２は、突起部２３の先端部の本体部２２からの距離ｄ３よりも長いことが好ましい。
【００５９】
複数の爪部２４のうち前側（ｙ軸の正の側）に設けられたものが爪部２４ａであり、後側（ｙ軸の負の側）に設けられたものが爪部２４ｂである。爪部２４ａは、縦柱４１ｂに設けられた複数の穴４４１のうち、任意の高さ位置に存在する穴４４１である挿入穴４４２に挿入される。同様に、爪部２４ｂは、縦柱４１ａに設けられた複数の穴４４１のうち、任意の高さ位置に存在する穴４４１である挿入穴４４２（図６）に挿入される。複数の爪部２４の各々は、本体部２２に固定されており、ｙ軸に沿って配列している。着脱の際のガイドレール２ａの操作性の観点で、複数の爪部２４の各々は本体部２２の上端部２２４に固定されていることが好ましい。
【００６０】
複数の爪部２４の各々は、第１の部分２４１（第１の部分の一例）と、第２の部分２４２（第２の部分の一例）とを含んでいる。第１の部分２４１は、本体部２２から連続している部分である。複数の爪部２４の各々の第１の部分２４１の突出方向は同一方向であり、かつ本体部２２における支持部２１が存在する側とは反対側の方向（ｘ軸の負の方向）である。ここでは、第１の部分２４１は水平方向に突出している。第１の部分２４１は平面である下面２４１ａを含んでいる。第２の部分２４２は、第１の部分２４１から上方に突出している。第２の部分２４２は、鉛直方向（ｚ軸方向）に突出していることが好ましい。第２の部分２４２は、ｘ軸の正の方向を向いた平面である内側面２４２ａを含んでいる。
【００６１】
摺動シート２５は、支持部２１の上面２１１に固定されている。摺動シート２５は、ガイドレール２上をトレー６が移動する場合にトレー６と摺動する。摺動シート２５は、トレー６との間の摺動性を改善するために設けられており、たとえばプラスチックなどよりなっている。
【００６２】
なお、ガイドレール２ｂの構成は、ガイドレール２ａの構成と同一であり、棚本体４に取り付けられた状態で、ｙｚ平面に対してガイドレール２ａの構成と対称になる。
【００６３】
図６は、ガイドレール２を棚本体４に取り付ける際に作業者が行う動作を模式的に示す断面図である。
【００６４】
図６（ａ）を参照して、ガイドレール２を棚本体４に取り付ける際に、作業者は、ガイドレール２の爪部２４の先端を矢印ＡＲ１で示すように挿入穴４４２に挿入し、爪部２４の第１の部分２４１の下面２４１ａを、挿入穴４４２を構成する棚本体４の縁４４２ａに接触させた状態で、ガイドレール２から手を離す。
【００６５】
図６（ｂ）を参照して、ガイドレール２は自重により、下面２４１ａと縁４４２ａとの接触位置を中心として矢印ＡＲ２で示すように回転する。ガイドレール２は、爪部２４の第２の部分２４２の内側面２４２ａが挿入部材４４の裏面４４ｂに接触する位置、または本体部２２の外側面２２２が挿入部材４４の表面４４ａに接触する位置で静止する。これにより、ガイドレール２は棚本体４の挿入穴４４２の位置に取り付けられる。
【００６６】
ガイドレール２を棚本体４から取り外す際に、作業者は、ガイドレール２を矢印ＡＲ３で示すように本体部２２の外側面２２２が挿入部材４４の表面４４ａから離れる方向に回転させる。
【００６７】
図６（ａ）を参照して、ガイドレール２の回転により、爪部２４の第１の部分２４１の下面２４１ａは縁４４２ａから外れる。ガイドレール２は自重により、矢印ＡＲ４で示すように挿入穴４４２から抜け出る。これにより、ガイドレール２は棚本体４の挿入穴４４２から取り外される。
【００６８】
図７は、本発明の一実施の形態におけるトレー６の構成を示す斜視図である。
【００６９】
図７を参照して、トレー６は、底部６１（底部の一例）と、背部６２（背部の一例）と、前部６３（前部の一例）と、切欠き部６４（切欠き部の一例）とを含んでいる。底部６１は、物が載置される部分であり、ガイドレール２にトレー６が支持された状態で、支持部２１と対向する。底部６１は厚さＴＮ（＜間隔ｄ１）を有している。背部６２は、トレー６の後端部（ｙ軸の負の方向の端部）において底部６１から上方に延在している。前部６３は、背部６２よりもｙ軸の正の側であって、好ましくはトレー６の前端部（ｙ軸の負の方向の端部）において、底部６１から上方に延在している。前部６３は、トレー６を把持しやすくするための切欠き部６３１を含んでいる。切欠き部６４は、背部６２に形成されている。切欠き部６４は、トレー６がガイドレール２上を移動する際に突起部２３と背部６２との干渉を防止するためのものである。
【００７０】
図８は、本発明の一実施の形態において、トレー６が引き出された状態をｙｚ平面に対して平行な断面で見た場合の断面図である。
【００７１】
図８を参照して、トレー６が前方（ｙ軸の正の方向）に引き出され、ガイドレール２に支持されている部分よりも前方の位置にトレー６の重心が移動すると、トレー６はその自重により支持部２１の前端を中心として矢印Ｆで示すように回転しようとする。しかし、トレー６の底部６１は支持部２１と突起部２３とによって上下方向から挟まれているため、トレー６の上記回転は突起部２３により阻止される。その結果、トレー６が引き出された場合にトレー６の落下を抑止することができる。
【００７２】
上述の実施の形態によれば、ガイドレール２の爪部２４の先端を挿入穴４４２に挿入し、爪部２４の第１の部分２４１の下面２４１ａを、挿入穴４４２を構成する縁４４２ａに接触させることにより、ガイドレール２を取り付けることができる。また、本体部２２の外側面２２２が挿入部材４４の表面４４ａから離れる方向にガイドレール２を回転させることにより、ガイドレール２を取り外すことができる。その結果、棚本体４に対するガイドレール２の着脱を容易に行うことができる。また、引き出されたトレー６の回転を突起部２３により阻止することができるので、支持したトレー６の落下を抑止することができる。
【００７３】
［変形例］
【００７４】
次に、上述の実施の形態の変形例について説明する。なお、各変形例において説明されていない棚の部分の構成は、上述の実施の形態の棚の構成と同様である。
【００７５】
図９は、本発明の一実施の形態の第１の変形例におけるガイドレール２の構成および棚本体４の一部の構成を示す斜視図である。
【００７６】
図９を参照して、第１の変形例のガイドレール２は、爪部２４の構成が上述の実施の形態の場合と異なっている。複数（ここでは２つ）の爪部２４の各々の第１の部分２４１の突出方向は互いに逆の方向であり、かつｚ軸方向からの平面視で移動方向（ｙ軸方向）に対して平行な方向である。具体的には、２つの爪部２４のうち前側（ｙ軸の正の側）に設けられた爪部２４の第１の部分２４１は前方に向かって突出しており、後側（ｙ軸の負の側）に設けられた爪部２４の第１の部分２４１は後方に向かって突出している。棚本体４を構成する４つの縦柱４１の各々におけるｙ軸方向で互いに対向する面である内側面４１１には、上下方向（ｚ軸方向）に配列した複数の穴４４１が設けられている。複数の爪部２４の各々は、縦柱４１の各々に設けられた複数の穴４４１のうち、任意の高さ位置に存在する穴４４１である挿入穴４４２に挿入される。
【００７７】
図１０は、本発明の一実施の形態の第２の変形例におけるガイドレール２の爪部２４付近の構成を示す断面図である。
【００７８】
図１０を参照して、第２の変形例のガイドレール２は、爪部２４の構成が上述の実施の形態の場合と異なっている。図１０（ａ）において、爪部２４の第１の部分２４１は、本体部２２から水平方向よりも下方に突出している。言い換えれば、本体部２２の延在方向（ｚ軸の正の方向）に対して第１の部分２４１の突出方向がなす角度を角度αとした場合、角度αは７５度以上９０度以下であることが好ましい。上述の実施の形態では角度αは９０度であり、第２の変形例では角度αは７５度以上９０度未満である。また図１０（ｂ）において、爪部２４の第２の部分２４２は、鉛直方向よりも本体部２２に近づく方向に第１の部分２４１から上方に突出している。言い換えれば、第１の部分２４１の突出方向に対して第２の部分２４２の突出方向がなす角度を角度βとした場合、角度βは９０度以上１０５度以下であることが好ましい。上述の実施の形態では角度βは９０度であり、第２の変形例では角度βは９０度より大きく１０５度以下である。
【００７９】
図１１は、本発明の一実施の形態の第３の変形例におけるガイドレール２および棚本体４の一部の構成を示す図である。
【００８０】
図１１を参照して、ガイドレール２は、３つの爪部２４によって棚本体４に取り付けられている。３つの爪部２４の各々は、３つの縦柱の各々の挿入穴４４２に対して挿入されている。３つの爪部２４の各々は、互いに異なる高さ位置の３つの挿入穴４４２の各々に挿入されている。これにより、ガイドレール２は、支持部２１がｙ軸に対して傾斜した状態（支持部２１の前側が後ろ側よりも高い位置にある状態）で、棚本体４に対して取り付けられている。
【００８１】
支持部２１がｙ軸に対して傾斜することで、ガイドレール２に支持されるトレー６の移動方向がｙ軸に対して傾斜した方向となる。
【００８２】
図１２は、本発明の一実施の形態の第４の変形例におけるトレー６の構成を示す斜視図である。
【００８３】
図１２を参照して、第４の変形例のトレー６は、筐体であり、底部６１と、背部６２と、前部６３と、切欠き部６４と、２つの側部６５とを含んでいる。
【００８４】
底部６１は、物が載置される部分であり、ガイドレール２にトレー６が支持された状態で、支持部２１と対向する。
【００８５】
背部６２は、トレー６の後端部（ｙ軸の負の方向の端部）において底部６１から上方に延在している。
【００８６】
前部６３は、背部６２よりもｙ軸の正の側であって、好ましくはトレー６の前端部（ｙ軸の負の方向の端部）において、底部６１から上方に延在している。前部６３にはトレー６を引き出すための把手６３２が取り付けられている。
【００８７】
２つの側部６５の各々は、トレー６の幅方向（ｘ軸方向）の両端部の各々において、底部６１から上方に延在している。背部６２と２つの側部６５の各々とは互いに接続されており、前部６３と２つの側部６５の各々とは互いに接続されている。
【００８８】
切欠き部６４は、背部６２および２つの側部６５の各々に設けられている。すなわち、２つの側部６５の各々に形成された切欠き部６４は、ｙ軸方向に延在する溝で構成されている。トレー６が移動する場合に、ガイドレール２の突起部２３は、２つの側部６５の各々に形成された切欠き部６４内を相対的に移動する。背部６２に形成された切欠き部６４は、２つの側部６５の各々に形成された切欠き部６４と連続している。
【００８９】
［その他］
【００９０】
ガイドレールによって支持される物体はトレーの他、棚板などであってもよい。
【００９１】
上記の実施の形態および変形例は、適宜組み合わせることができる。
【００９２】
上述の実施の形態および変形例は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９３】
１，１０００，１０１０  棚（棚の一例）
２，２ａ，２ｂ，１０１２，１０１６  ガイドレール（ガイドレールの一例）
４，１００１，１０１１  棚本体（棚本体の一例）
６，１００３，１０１３  トレー（物体の一例）
２１  ガイドレールの支持部（支持部の一例）
２２  ガイドレールの本体部（本体部の一例）
２３  ガイドレールの突起部（突起部の一例）
２４，２４ａ，２４ｂ，１０１２ａ，１０１２ｂ  ガイドレールの爪部（爪部の一例）
２５  ガイドレールの摺動シート（摺動部の一例）
４１，４１ａ，４１ｂ，４１ｃ，４１ｄ，１０１４  棚本体の縦柱（縦柱の一例）
４２，４２ａ，４２ｂ，４２ｃ，４２ｄ，４２ｅ，４２ｆ，４２ｇ，４２ｈ  棚本体の横柱
４４  棚本体の挿入部材（挿入部材の一例）
４４ａ  挿入部材の表面
４４ｂ  挿入部材の裏面
６１  トレーの底部（底部の一例）
６２  トレー背部（背部の一例）
６３  トレーの前部（前部の一例）
６４，６３１  トレーの切欠き部（切欠き部の一例）
６５  トレーの側部
２１１  支持部の上面
２２１  本体部の内側面
２２２  本体部の外側面
２２３  本体部の穴
２２４  本体部の上端部
２４１  爪部の第１の部分（第１の部分の一例）
２４１ａ  第１の部分の下面
２４２  爪部の第２の部分（第２の部分の一例）
２４２ａ  第２の部分の内側面
４１１，１０１４ａ  縦柱の内側面
４１２  縦柱の外側面
４１３ａ，４１３ｂ，４１３ｃ，４１３ｄ  延在溝（延在溝および反対側溝の一例）
４４１  挿入部材の穴（穴の一例）
４４２  挿入穴（挿入穴の一例）
４４２ａ  挿入穴の縁
６３２  トレーの把手
１００１ａ  棚本体の内側面
１００２  棚本体の溝
１０１５  穴
【図１】
2020031697.tif 000003
【図２】
2020031697.tif 000004
【図３】
2020031697.tif 000005
【図４】
2020031697.tif 000006
【図５】
2020031697.tif 000007
【図６】
2020031697.tif 000008
【図７】
2020031697.tif 000009
【図８】
2020031697.tif 000010
【図９】
2020031697.tif 000011
【図１０】
2020031697.tif 000012
【図１１】
2020031697.tif 000013
【図１２】
2020031697.tif 000014
【図１３】
2020031697.tif 000015
【図１４】
2020031697.tif 000016
【図１５】
2020031697.tif 000017